【手続補正書】
【提出日】平成17年3月14日(2005.3.14)
【手続補正１】
【補正対象書類名】明細書
【補正対象項目名】特許請求の範囲
【補正方法】変更
【補正の内容】
【特許請求の範囲】
【請求項１】
少なくとも１つの有機ハロゲン化物を含む抗感染薬を担体中に少なくとも１つ含む、障害組織に投与し浸透させるための治療用組成物であって、皮膚を越えて急速に拡散することなく迅速な方法で皮膚に浸透するための組織浸透成分を含む液体である、前記治療用組成物。
【請求項２】
抗感染薬が本質的に少なくとも１つの有機塩化物から成る、請求項１に記載の治療用組成物。
【請求項３】
抗感染薬が少なくとも１つのベンザルコニウムクロリド化合物を含む、請求項１又は２に記載の治療用組成物。
【請求項４】
ベンザルコニウムクロリド化合物の濃度が、治療用組成物の約０．０１〜約０．５容量％である、請求項３に記載の治療用組成物。
【請求項５】
ベンザルコニウムクロリド化合物の濃度が、治療用組成物の約０．０５〜約０．３容量％である、請求項３に記載の治療用組成物。
【請求項６】
ベンザルコニウムクロリド化合物の濃度が、治療用組成物の約０．１〜約０．２容量％である、請求項３に記載の治療用組成物。
【請求項７】
ベンザルコニウムクロリド化合物の濃度が、治療用組成物の０．２６容量％以下である、請求項３に記載の治療用組成物。
【請求項８】
ベンザルコニウムクロリド化合物の濃度が、治療用組成物の約０．０１３容量％である、請求項３に記載の治療用組成物。
【請求項９】
ベンザルコニウムクロリド化合物の濃度が、治療用組成物の約０．００１〜約０．０５容量％である、請求項３に記載の治療用組成物。
【請求項１０】
抗感染薬が、ベンゼトニウムクロリド、メチルベンゼトニウムクロリド、セチルピリジニウムクロリド、クロロキシレノール、ヘキサクロロフェン、トリクロサン又はクロルヘキシジンのうちの少なくとも１つを含む、請求項１又は２に記載の組成物。
【請求項１１】
有機ハロゲン化物が、炭素数６〜１８のアルキルを有する少なくとも１つの４級アンモニウムクロリドを含む、請求項１〜３のいずれか１項に記載の治療用組成物。
【請求項１２】
有機ハロゲン化物が、アルキルベンジルジメチルアンモニウムクロリド、アルキルジメチル／エチルベンジルアンモニウムクロリド、ｎ−アルキルジメチルベンジルアンモニウムクロリド、ジイソブチルフェノキシエトキシエチルジメチルベンジルアンモニウムクロリド、Ｎ−（Ｃ12Ｃ14Ｃ16）ジメチルベンジルアンモニウムクロリド、ジデシルジメチルアンモニウムクロリド、ジオクチルジメチルアンモニウムクロリド、ジアルキルジメチルアンモニウムクロリド、ジアルキルメチルベンジルアンモニウムクロリド、オクチルデシルジメチルアンモニウムクロリド、ラウリルジメチルベンジルアンモニウムクロリド、ｏ−ベンジル−ｐ−クロロフェノール、ジデシルジメチルアンモニウムクロリド、ジオクチルジメチルアンモニウムクロリド又はアルキル（Ｃ14Ｃ12Ｃ16）ジメチルベンジルアンモニウムクロリドのうちの少なくとも１つを含む、請求項１又は２に記載の治療用組成物。
【請求項１３】
有機ハロゲン化物が、ベンザルコニウムブロミド化合物又はセチルトリメチルアンモニウムブロミドのうちの少なくとも１つを含む、請求項１に記載の治療用組成物。
【請求項１４】
担体がイソプロピルアルコールを含む、請求項１〜１３のいずれか１項に記載の治療用組成物。
【請求項１５】
担体が更に水を含む、請求項１４に記載の治療用組成物。
【請求項１６】
水の量が担体の約２０〜約４０容量％である、請求項１５に記載の治療用組成物。
【請求項１７】
担体が水溶液の約７０容量％のイソプロピルアルコール水溶液を含む、請求項１〜１６のいずれか１項に記載の治療用組成物。
【請求項１８】
担体が本質的にイソプロピルアルコールと水から成る、請求項１〜１７のいずれか１項に記載の治療用組成物。
【請求項１９】
有機ハロゲン化物が少なくとも１つのベンザルコニウムクロリド化合物を治療用組成物の約０．０１〜約０．５容量％の濃度で含み、担体が水溶液の約７０容量％のイソプロピルアルコール水溶液を含む、請求項１〜１８のいずれか１項に記載の治療用組成物。
【請求項２０】
担体が、エタノール、メタノール、セチルアルコール又はベンジルアルコールのうちの少なくとも１つを含む、請求項１〜１７及び１９のいずれか１項に記載の治療用組成物。
【請求項２１】
担体が、アセトン、酢酸又は無水酢酸のうちの少なくとも１つを含む、請求項１〜１７、１９及び２０のいずれか１項に記載の治療用組成物。
【請求項２２】
浸透阻害成分を含まない、請求項１〜２１のいずれか１項に記載の治療用組成物。
【請求項２３】
有機ハロゲン化物又は担体のうちの少なくとも１つが、組織浸透成分の少なくとも一部も含む、請求項１〜２２のいずれか１項に記載の治療用組成物。
【請求項２４】
少なくとも１つの有機ハロゲン化物及び担体から本質的に成る、請求項２３に記載の治療用組成物。
【請求項２５】
治療用組成物を障害組織に投与後２分以内に、もはや肉眼で治療用組成物を障害組織上に検出できないような方法で障害組織への迅速な浸透を可能にする、請求項１〜２４のいずれか１項に記載の治療用組成物。
【請求項２６】
実質的に油分を含まない、請求項１〜２５のいずれか１項に記載の治療用組成物。
【請求項２７】
更に麻酔薬を含む、請求項１〜２６のいずれか１項に記載の治療用組成物。
【請求項２８】
液体が水の粘度とほぼ等しい粘度を有する、請求項１〜２７のいずれか１項に記載の治療用組成物。
【請求項２９】
請求項１〜２８のいずれか１項に記載の治療用組成物、及び治療用組成物を障害組織へ送達するためのアプリケータを含む、障害組織治療用システム。
【請求項３０】
アプリケータが：治療用組成物を保持するための貯蔵部；その軟性容器の圧迫により貯蔵部から軟性容器へ治療用組成物が放出される方法で貯蔵部を保持するための、開口送達末端の反対側に密閉末端を有する軟性容器；及び軟性容器の開口送達末端に、治療用組成物送達部を有する振動パッドを含む、請求項２９に記載のシステム。
【請求項３１】
貯蔵部が壊れやすい貯蔵部を含み、軟性容器の圧迫により壊れやすい貯蔵部が破裂し、治療用組成物が放出する、請求項３０に記載のシステム。
【請求項３２】
振動パッドが軟性容器内に保持部を含み、送達部は軟性容器の開口送達末端を越えて伸びており、振動表面で終結している、請求項３０又は３１に記載のシステム。
【請求項３３】
振動パッドが、治療用組成物の保持を可能にするメッシュを有する合成繊維で形成される、請求項３０〜３２のいずれか１項に記載のシステム。
【請求項３４】
振動パッドが繊維網で形成された折りたたみシートを含む、請求項３０〜３３のいずれか１項に記載のシステム。
【請求項３５】
振動パッドがポリエステル繊維を含む、請求項３０〜３４のいずれか１項に記載のシステム。
【請求項３６】
振動パッドが剛毛のふさを含む、請求項３０〜３５のいずれか１項に記載のシステム。
【請求項３７】
振動パッドの送達部が、障害組織をこする振動表面のための長さ及び十分な剛性を有する、請求項３２〜３６のいずれか１項に記載のシステム。
【請求項３８】
振動パッドの送達部が、帯状疱疹のような組織障害に苦しむ背又は胸部のような表面積の大きい身体の部分へ治療用組成物を迅速に送達するのに十分な大きさである、請求項３０〜３７のいずれか１項に記載のシステム。
【請求項３９】
治療用組成物及びアプリケータが、アプリケータを保持するための容器手段内に保持されている、請求項２９〜３８のいずれか１項に記載のシステム。
【請求項４０】
治療用組成物を障害組織へ送達する前に障害組織に投与するための局所投与用麻酔薬を更に含む、請求項２９〜３９のいずれか１項に記載のシステム。
【請求項４１】
障害組織に投与し浸透させるための治療用組成物であって、ヌクレオシド、及び皮膚を越えて急速に拡散することなく迅速な方法で皮膚に浸透するための液性担体組織浸透成分を含む、前記治療用組成物。
【請求項４２】
ヌクレオシドが非環式ヌクレオシドを含む、請求項４１に記載の治療用組成物。
【請求項４３】
非環式ヌクレオシドがアシクロビルを含む、請求項４２に記載の治療用組成物。
【請求項４４】
少なくとも１つの有機ハロゲン化物を更に含む、請求項４１に記載の治療用組成物。
【請求項４５】
有機ハロゲン化物が、アルキルベンジルジメチルアンモニウムクロリド、アルキルジメチル／エチルベンジルアンモニウムクロリド、ｎ−アルキルジメチルベンジルアンモニウムクロリド、ジイソブチルフェノキシエトキシエチルジメチルベンジルアンモニウムクロリド、Ｎ−（Ｃ12Ｃ14Ｃ16）ジメチルベンジルアンモニウムクロリド、ジデシルジメチルアンモニウムクロリド、ジオクチルジメチルアンモニウムクロリド、ジアルキルジメチルアンモニウムクロリド、ジアルキルメチルベンジルアンモニウムクロリド、オクチルデシルジメチルアンモニウムクロリド、ラウリルジメチルベンジルアンモニウムクロリド、ｏ−ベンジル−ｐ−クロロフェノール、ジデシルジメチルアンモニウムクロリド、ジオクチルジメチルアンモニウムクロリド又はアルキル（Ｃ14Ｃ12Ｃ16）ジメチルベンジルアンモニウムクロリドのうちの少なくとも１つを含む、請求項４４に記載の治療用組成物。
【請求項４６】
少なくとも１つの有機ハロゲン化物が少なくとも１つの４級アンモニウム化合物を含む、請求項４４に記載の治療用組成物。
【請求項４７】
少なくとも１つの４級アンモニウム化合物が少なくとも１つのベンザルコニウムクロリド化合物を含む、請求項４６に記載の治療用組成物。
【請求項４８】
少なくとも１つのベンザルコニウムクロリド化合物が式：
【化１】
2003529548.tif 000001
（式中、ＲはＣ8Ｈ17〜Ｃ18Ｈ37である）
を有する、請求項４７に記載の治療用組成物。
【請求項４９】
ベンザルコニウムクロリド化合物の濃度が、治療用組成物の約０．０１〜約０．５容量％である、請求項４８に記載の治療用組成物。
【請求項５０】
ベンザルコニウムクロリド化合物の濃度が、治療用組成物の約０．０５〜約０．３容量％である、請求項４８に記載の治療用組成物。
【請求項５１】
液性担体組織浸透成分がイソプロピルアルコールを含む、請求項４１〜５０のいずれか１項に記載の治療用組成物。
【請求項５２】
液性担体が更に水を含む、請求項５１に記載の治療用組成物。
【請求項５３】
水の量が担体の約２０〜約４０容量％である、請求項５２に記載の治療用組成物。
【請求項５４】
液性担体が水溶液の約７０容量％のイソプロピルアルコール水溶液を含む、請求項４１〜５３のいずれか１項に記載の治療用組成物。
【請求項５５】
液性担体が本質的にイソプロピルアルコールと水から成る、請求項４１〜５４のいずれか１項に記載の治療用組成物。
【請求項５６】
液性担体が、エタノール、メタノール、セチルアルコール又はベンジルアルコールのうちの少なくとも１つを含む、請求項４１〜５４のいずれか１項に記載の治療用組成物。
【請求項５７】
液性担体が、アセトン、酢酸又は無水酢酸のうちの少なくとも１つを含む、請求項４１〜５４及び５６のいずれか１項に記載の治療用組成物。
【請求項５８】
浸透阻害成分を含まない、請求項４１〜５７のいずれか１項に記載の治療用組成物。
【請求項５９】
治療用組成物を障害組織に投与後２分以内に、もはや肉眼で治療用組成物を障害組織上に検出できないような方法で障害組織への迅速な浸透を可能にする、請求項４１〜５８のいずれか１項に記載の治療用組成物。
【請求項６０】
実質的に油分を含まない、請求項４１〜５９のいずれか１項に記載の治療用組成物。
【請求項６１】
更に麻酔薬を含む、請求項４１〜６０のいずれか１項に記載の治療用組成物。
【請求項６２】
水の粘度とほぼ等しい粘度を有する、請求項４１〜６１のいずれか１項に記載の治療用組成物。
【請求項６３】
請求項４１〜６２のいずれか１項に記載の治療用組成物、及び治療用組成物を障害組織へ送達するためのアプリケータを含む、障害組織治療用システム。
【請求項６４】
アプリケータが：治療用組成物を保持するための貯蔵部；その軟性容器の圧迫により貯蔵部から軟性容器へ治療用組成物が放出される方法で貯蔵部を保持するための、開口送達末端の反対側に密閉末端を有する軟性容器；及び軟性容器の開口送達末端に、治療用組成物送達部を有する振動パッドを含む、請求項６３に記載のシステム。
【請求項６５】
貯蔵部が壊れやすい貯蔵部を含み、軟性容器の圧迫により壊れやすい貯蔵部が破裂し、治療用組成物が放出する、請求項６４に記載のシステム。
【請求項６６】
振動パッドが軟性容器内に保持部を含み、送達部は軟性容器の開口送達末端を越えて伸びており、振動表面で終結している、請求項６４又は６５に記載のシステム。
【請求項６７】
振動パッドが、治療用組成物の保持を可能にするメッシュを有する合成繊維で形成される、請求項６４〜６６のいずれか１項に記載のシステム。
【請求項６８】
振動パッドが繊維網で形成された折りたたみシートを含む、請求項６４〜６７のいずれか１項に記載のシステム。
【請求項６９】
振動パッドがポリエステル繊維を含む、請求項６４〜６８のいずれか１項に記載のシステム。
【請求項７０】
振動パッドが剛毛のふさを含む、請求項６４〜６９のいずれか１項に記載のシステム。
【請求項７１】
振動パッドの送達部が、障害組織をこする振動表面のための長さ及び十分な剛性を有する、請求項６６〜７０のいずれか１項に記載のシステム。
【請求項７２】
振動パッドの送達部が、帯状疱疹のような組織障害に苦しむ背又は胸部のような表面積の大きい身体の部分へ治療用組成物を迅速に送達するのに十分な大きさである、請求項６４〜７１のいずれか１項に記載のシステム。
【請求項７３】
治療用組成物を障害組織へ送達する前に障害組織に投与するための局所投与用麻酔薬を更に含む、請求項６３〜７２のいずれか１項に記載のシステム。